(57)【特許請求の範囲】
【請求項１】
ハウジングと、表示画面アセンブリと、カメラと、プロセッサとを備える電子機器であって、
前記表示画面アセンブリは、前記ハウジング上に配置された表示画面アセンブリであって、前記表示画面アセンブリおよび前記ハウジングは協働して収容チャンバを形成し、前記表示画面アセンブリは透明実体領域および不透明領域を備え、前記透明実体領域はデータ情報を表示するように構成された複数の画像ピクセルを備え、前記不透明領域はデータ
情報を表示するように構成された複数の画像ピクセルを備え、前記透明実体領域を取り囲み、
前記カメラは、前記収容チャンバ内に配置されたカメラであって、前記カメラは前記透明実体領域に対応し、前記透明実体領域を通過する光を受光して前記電子機器の外部の第１のシーンおよび前記電子機器の内部の第２のシーンを含む初期画像を取得し、取得した前記初期画像を前記プロセッサに送信するように構成され、
前記プロセッサは、前記初期画像を処理して、前記電子機器の外部の前記第１のシーンを含み前記第２のシーンを含まないターゲット画像を得るように構成され、
前記電子機器は、
前記カメラが前記初期画像を取得しているときに、前記透明実体領域を制御して白色光を放出させて、前記透明実体領域をフラッシュライトとして機能させるように構成されている制御部を更に備える、
電子機器。
【請求項２】
前記透明実体領域の前記複数の画像ピクセル上にデータ情報が表示されていないときに、前記透明実体領域用にキャプチャされた事前格納画像を格納するように構成されているメモリ
を更に備えることを特徴とする、請求項１に記載の電子機器。
【請求項３】
前記プロセッサは、前記透明実体領域の前記複数の画像ピクセルが前記データ情報を表示しているときに、前記透明実体領域上に表示された画像をリアルタイムで取得するように更に構成されており、
前記第２のシーンは、前記表示された画像に対応する第１のサブシーンと、前記事前格納画像に対応する第２のサブシーンとを含み、
前記プロセッサは、前記初期画像、前記表示された画像、および前記事前格納画像に基づき、前記第１のサブシーンおよび前記第２のサブシーンを前記初期画像から除去して、前記第１のシーンを含み前記第２のシーンを含まない前記ターゲット画像を得るように更に構成されていることを特徴とする、請求項２に記載の電子機器。
【請求項４】
前記表示画面アセンブリに垂直な方向への前記透明実体領域の中心点の投影が、前記表示画面アセンブリに垂直な方向への前記カメラの中心点の投影と重なっていることを特徴とする、請求項１から３のいずれか一項に記載の電子機器。
【請求項５】
前記表示画面アセンブリに垂直な方向への前記透明実体領域の投影が、前記表示画面アセンブリに垂直な方向への前記カメラの投影を覆っていることを特徴とする、請求項１から４のいずれか一項に記載の電子機器。
【請求項６】
電子機器が画像を取得するための画像取得方法であって、前記電子機器は表示画面アセンブリを備え、前記表示画面アセンブリは、透明実体領域および不透明領域を備え、前記透明実体領域はデータ情報を表示するように構成された複数の画像ピクセルを備え、前記不透明領域はデータ情報を表示するように構成された複数の画像ピクセルを備え、前記透
明実体領域を取り囲み、
前記画像取得方法は、
前記透明実体領域を通過する光を受光して前記電子機器の外部の第１のシーンおよび前記電子機器の内部の第２のシーンを含む初期画像を取得することと、
前記初期画像を処理して、前記電子機器の外部の前記第１のシーンを含み前記第２のシーンを含まないターゲット画像を得ることとを含み、
前記電子機器の外部の前記第１のシーンおよび前記電子機器の内部の前記第２のシーンを含む前記初期画像を取得する前に、前記画像取得方法は、前記透明実体領域を制御して白色光を放出させて、前記透明実体領域をフラッシュライトとして機能させることを更に含む、
画像取得方法。
【請求項７】
前記透明実体領域の前記複数の画像ピクセル上にデータ情報が表示されていないときに、前記透明実体領域用にキャプチャされた事前格納画像を格納すること
を更に備えることを特徴とする、請求項６に記載の画像取得方法。
【請求項８】
前記初期画像を処理して前記ターゲット画像を取得することは、
前記透明実体領域の前記複数の画像ピクセルが前記データ情報を表示しているときに、前記透明実体領域上に表示された画像をリアルタイムで取得することであって、前記第２のシーンは、前記表示された画像に対応する第１のサブシーンと、前記事前格納画像に対応する第２のサブシーンとを含む、ことと、
前記初期画像、前記表示された画像、および前記事前格納画像に基づき、前記第１のサブシーンおよび前記第２のサブシーンを前記初期画像から除去して、前記第１のシーンを含み前記第２のシーンを含まないターゲット画像を取得することと
を更に含むことを特徴とする、請求項７に記載の画像取得方法。
【発明の詳細な説明】
【技術分野】
【０００１】
関連出願の相互参照
本出願は、２０１７年１月２６日に出願された「ＥＬＥＣＴＲＯＮＩＣ  ＤＥＶＩＣＥ  ＡＮＤ  ＩＭＡＧＥ  ＡＣＱＵＩＳＩＲＩＯＮ  ＭＥＴＨＯＤ」と題する中国特許出願第２０１７１００５７６０４．３号に対する優先権を主張し、その開示はその全体が参照として本明細書に組み込まれる。
【０００２】
本開示は、民生用電子機器の技術分野に関し、より詳細には、表示画面アセンブリ、電子機器および画像取得方法に関する。
【背景技術】
【０００３】
科学技術の発展と共に、スマートフォンはますます普及してきており、スマートフォンの機能もまた増加しているので、スマートフォンは日常生活において必要な電子機器となっている。現時点では、スマートフォンの画面の本体に対する比率は比較的低いため、ユーザ体験の低下につながっている。
【発明の概要】
【発明が解決しようとする課題】
【０００４】
本開示は、表示画面アセンブリ、電子機器および画像取得方法を提供する。
【課題を解決するための手段】
【０００５】
本開示の一態様によれば、表示画面アセンブリが提供される。表示画面アセンブリは電子機器に適用される。電子機器はハウジングおよびカメラを含む。表示画面アセンブリはハウジング上に配置されて、ハウジングと協働して収容チャンバを形成している。カメラは収容チャンバ内に配置されている。表示画面アセンブリは、データ情報を表示するように構成された複数の画像ピクセルを含み、収容チャンバ内のカメラの位置に対応する位置に配置されている透明実体領域と、データ情報を表示するように構成された複数の画像ピクセルを含み透明実体領域を取り囲んでいる不透明領域とを含み、カメラは、透明実体領域を通過する光を受光して、電子機器の外部の第１のシーンおよび電子機器の内部の第２のシーンを含む初期画像を取得するように適合されている。
【０００６】
本開示の追加の態様によると、電子機器が提供される。電子機器は、ハウジングと、ハウジング状に配置された表示画面アセンブリであって、表示画面アセンブリおよびハウジングは協働して収容チャンバを形成し、表示画面アセンブリは透明実体領域を含み、透明実体領域はデータ情報を表示するように構成された複数の画像ピクセルを含む、表示画面アセンブリと、収容チャンバ内に配置されたカメラであって、カメラは透明実体領域に対応し、透明実体領域を通過する光を受光して電子機器の外部の第１のシーンおよび電子機器の内部の第２のシーンを含む初期画像を取得する、カメラと、初期画像を処理して、電子機器の外部の第１のシーンを含み第２のシーンを含まないターゲット画像を取得するように構成されたプロセッサと、を含む。
【０００７】
本開示の更なる態様によると、電子機器が画像を取得するために使用する画像取得方法も提供される。電子機器は表示画面アセンブリを含む。表示画面アセンブリは透明実体領域を含む。透明実体領域は、データ情報を表示するように構成された複数の画像ピクセルを含む。画像取得方法は、以下の、電子機器の外部の第１のシーンおよび電子機器の内部の第２のシーンを含む初期画像を取得するステップと、初期画像を処理して、電子機器の外部の第１のシーンを含み第２のシーンを含まないターゲット画像を取得するステップとを含む。
【０００８】
本開示の実施形態の上述のおよび／または追加の態様および利点は、添付の図面と関連させたときに以下の詳細な説明から明らかになろう。
【図面の簡単な説明】
【０００９】
【図１】本開示の一実施形態による電子機器を示す概略平面図である。
【図２】本開示の一実施形態による電子機器の一部を示す構造概略図である。
【図３】本開示の一実施形態による電子機器の機能モジュールを示す概略図である。
【図４】本開示の一実施形態による電子機器の機能モジュールを示す概略図である。
【図５】本開示の一実施形態による画像取得方法を示すフロー図である。
【図６】本開示の一実施形態による画像取得方法を示すフロー図である。
【図７】本開示の一実施形態による画像取得方法を示すフロー図である。
【図８】本開示の一実施形態による画像取得方法を示すフロー図である。
【図９】本開示の一実施形態による画像取得方法を示すフロー図である。
【発明を実施するための形態】
【００１０】
本開示の実施形態について詳細に言及する。同一または類似の要素、および同一または類似の機能を有する要素は、説明全体をわたって類似の参照番号で示される。図面を参照して本明細書に記載された実施形態は、説明的、例示的であり、本開示を全体的に理解するために使用される。実施形態は、本開示を限定すると解釈されるべきではない。
【００１１】
本明細書において、「中央」、「縦」、「横」、「幅」、「厚さ」、「上」、「下」、「前」、「後」、「右」、「左」、「垂直」、「水平」、「頂部」、「底部」、「内側」、「外側」、「時計回り」、および「反時計回り」などは、そのときに説明した向き、または図面に示した向きを指すと理解すべきである。これらの用語は単に説明の便宜および簡潔さのためのものであり、言及された装置または要素が特定の方向性を持たなければならないことを、単独で示すことまたは意味することはない。従って、これらの用語が本開示を限定すると理解することはできない。加えて、「第１」および「第２」などの用語は、本明細書では説明の目的で使用されており、相対的な重要性もしくは有意性を示すこともしくは暗示すること、または言及される技術的特徴の量を暗示的に示すことを意図しない。従って、「第１」および「第２」で定義された特徴は、１つまたは複数の特徴を含むことができる。本開示の説明において、「複数の」という用語は、特に明記しない限り、２つまたは３つ以上を意味する。
【００１２】
本開示の説明では、他に明記または限定しない限り、「取り付けられた」、「接続された」、「結合された」、「固定された」などの用語は広義で使用されており、例えば、固定接続、着脱可能接続、または一体的接続であってもよく、更に機械的または電気的接続であってもよく、更に直接接続または介在構造を介した間接接続であってもよく、更に２つの要素の内部連絡であってもよく、これらは特定の状況に応じて当業者によって理解され得ることを理解すべきである。
【００１３】
本開示の説明では、他に明記または限定しない限り、第１のフィーチャが第２のフィーチャの「上」または「下」にある構造は、第１のフィーチャが第２のフィーチャと直接接触している実施形態を含んでいてもよく、更に、第１のフィーチャと第２のフィーチャは互いに直接接触していないが、それらの間に形成された追加のフィーチャを介して接触している実施形態を含んでいてもよい。更には、第２のフィーチャの「上」、「上方」、もしくは「上部」にある第１のフィーチャは、第１のフィーチャが第２のフィーチャの直にまたは斜めの「上」、「上方」、もしくは「上部」にある実施形態を含んでいてもよく、または第１のフィーチャが第２のフィーチャよりも高い位置にあることを意味し、一方、第２のフィーチャの「下」、「下方」、もしくは「下部」にある第１のフィーチャは、第１のフィーチャが第２のフィーチャの直にまたは斜めの「下」、「下方」、もしくは「下部」にある実施形態を含んでいてもよく、または第１のフィーチャが第２のフィーチャよりも低い位置にあることを意味する。
【００１４】
本開示の様々な構造を実現するために、以下の説明において様々な実施形態および実施例が提供される。本開示を単純化するために、特定の要素および設定が説明される。しかし、これらの要素および設定は例示にすぎず、本開示を限定することを意図していない。加えて、参照番号は、本開示における異なる実施例において繰り返される場合がある。この繰り返しは、単純化および明確化の目的のためであり、異なる実施形態および／または設定の間の関係を指すものではない。更には、様々なプロセスおよび材料の例が本開示において提供される。しかし、他のプロセスおよび／または材料も適用され得ることが当業者によって理解されるであろう。
【００１５】
図１〜図３を参照すると、電子機器１０が提供される。電子機器１０は、携帯電話、タブレットコンピュータ、スマートウォッチ、スマートブレスレット、スマートメガネ、またはスマートヘルメットであってもよいが、これらに限定されない。本実施形態では、電子機器１０の例として携帯電話を挙げて説明する。具体的には、電子機器１０は、ハウジング１１、表示画面アセンブリ１２、カメラ１４、プロセッサ１６、およびメモリ１８を含むことができる。
【００１６】
表示画面アセンブリ１２は、ハウジング１１上に配置されていてもよい。この実施形態では、ハウジング１１は携帯電話のシェルであってもよい。表示画面アセンブリ１２とハウジング１１は協働して収容チャンバ１５を形成してもよい。表示画面アセンブリ１２は、透明実体領域１２２および不透明領域１２４を含んでいてもよい。透明実体領域１２２は、不透明領域１２４によって取り囲まれていてもよい。透明実体領域は、５０％以上の光透過率を有してもよい。透明実体領域１２２および不透明領域１２４の両方は、データ情報を表示するように構成された画像ピクセルを含んでいてもよい。すなわち、透明実体領域１２２は依然として画像を正常に表示することができる。表示画面アセンブリ１２に垂直な方向への透明実体領域１２２の中心点の投影が、表示画面アセンブリ１２に垂直な方向へのカメラ１４の中心点の投影と重なっていてもよい。具体的には、表示画面アセンブリ１２に垂直な方向への透明実体領域１２２の投影は、表示画面アセンブリ１２に垂直な方向へのカメラ１４のレンズ１４２の投影を覆っていてもよい。このようにして、光は透明実体領域１２２を通過してカメラ１４に至ることができる。透明実体領域１２２、および透明実体領域１２２を取り囲んでいる不透明領域１２４の両方は、厚さが同じであり、連続している。透明実体領域１２２を、表示画面アセンブリ１２の上端１２９２または表示画面アセンブリ１２の下端１２９４に配置してもよい。この実施形態では、透明実体領域１２２を、表示画面アセンブリ１２の上端１２９２に配置してもよい。
【００１７】
図２を参照すると、表示画面アセンブリ１２は、表示画面１２６と、表示画面１２６上に配置されたカバー１２８とを含んでいてもよい。カバー１２８は、完全積層体またはフレーム取り付けの形態で、表示画面１２６に固定されていてもよい。具体的には、カバー１２８と表示画面１２６とは、光学的に透明な接着剤（ＯＣＡ）によって接着されていてもよい。表示画面１２６は、ＯＬＥＤ（有機発光ダイオード：Ｏｒｇａｎｉｃ  Ｌｉｇｈｔ−Ｅｍｉｔｔｉｎｇ  Ｄｉｏｄｅ）表示画面１２６、フレキシブルＯＥＬＤ表示画面１２６、またはＡＭＯＬＥＤ（アクティブマトリックス有機発光ダイオード：Ａｃｔｉｖｅ−ｍａｔｒｉｘ  ｏｒｇａｎｉｃ  ｌｉｇｈｔ  ｅｍｉｔｔｉｎｇ  ｄｉｏｄｅ）表示画面１２６であってもよい。この実施形態では、表示画面１２６はＯＬＥＤ表示画面１２６であってもよい。もちろん、表示画面１２６は上記の種類に限定されない場合があり、事実上は、実際の要求に応じて適切な表示画面１２６を選択してもよい。表示画面１２６を設計する場合、透明領域１２６２の小領域を表示画面１２６内に設計してもよい。この実施形態では、透明領域１２６２と、透明領域１２６２に対応するカバー１２８の一部とが、透明実体領域１２２を一緒に形成する。表示画面１２６の上面および下面は両方とも依然として平坦な表面であってもよい。カバー１２８の透明領域は表示画面１２６の全体を覆っている。カバー１２８の上面および下面の両方が依然として平坦な表面である場合があること、すなわち、この実施形態における表示画面アセンブリ１２の表示画面１２６およびカバー１２８の両方に、光を通過させるいかなる開口部も設けられていない場合があることを理解されたい。透明実体領域１２２を形成するように適合された透明領域１２６２の小領域は、表示画面１２６を作製するときに設計されてもよく、この時点で透明領域１２６２は依然として画像を正常に表示してもよい。一例では、カバー１２８はタッチスクリーンカバー１２８であってもよく、すなわち、タッチスクリーンのタッチ制御回路がカバー１２８に一体化されてもよく、それによりカバー１２８をクリックすることによりタッチ制御機能を実現することができる。いくつかの実施形態では、カバー１２８は、タッチ制御パネルと、タッチ制御パネル上に配置された保護カバー１２８とを有する二層構造を含んでいてもよい。タッチ制御パネルは、表示画面アセンブリ１２のタッチ操作を実現するように構成されていてもよい。保護カバー１２８は、タッチ制御パネルに直接触れることによってタッチ制御パネルが損傷することを防ぐように構成されていてもよい。カバー１２８は、ガラス、サファイア、ポリ塩化ビニル（ＰＶＣ）または他の材料で作製されていてもよい。もちろん、カバー１２８の材料は上述の種類に限定されない場合があり、事実上は、実際の要求に応じて適切なカバー１２８の材料を選択することができる。
【００１８】
カメラ１４は収容チャンバ１５内に配置されていてもよい。カメラ１４は、透明実体領域１２２に対応し、透明実体領域１２２を通過する光を受光して、電子機器１０の外部の第１のシーンおよび電子機器１０の内部の第２のシーンを含む初期画像を取得してもよい。透明実体領域１２２の垂直方向への投影はカメラ１４のレンズ１４２を覆うので、カメラ１４はより多くの光をキャプチャしキャプチャ効果を高めることができる。
【００１９】
図３を参照して、プロセッサ１６は、初期画像を処理して、電子機器１０の外部の第１のシーンを含み第２のシーンを含まないターゲット画像を取得するように構成されていてもよい。更に、ターゲット画像は第１のシーンのみを含んでいてもよい。プロセッサ１６は、透明実体領域の複数の画像ピクセルがデータ情報を表示しているときに、透明実体領域１２２に表示された画像をリアルタイムで取得するように構成されていてもよい。メモリ１８は、透明実体領域１２２の複数の画像ピクセル上にデータ情報が表示されていないときに、透明実体領域１２２用にキャプチャされた事前格納画像を格納するように構成されていてもよい。第２のシーンは、表示された画像に対応する第１のサブシーンと、事前格納画像に対応する第２のサブシーンとを含んでいてもよい。プロセッサ１６は、初期画像、表示された画像、および事前格納画像に基づき、第１のサブシーンおよび第２のサブシーンを初期画像から除去して、第１のシーンを含み第２のシーンを含まないターゲット画像を得るように構成されていてもよい。表示画面１２６の透明領域１２６２は依然として画像を表示することができるので、表示用の構成要素を透明領域１２６２上に配置できることが理解されよう。メモリ１８は、透明領域１２６２上に配置された構成要素の画像を事前格納画像として予め格納してもよい。表示画面１２６の通常の使用中にユーザがカメラで画像をキャプチャすると、表示画面１２６に表示された画像ピクセルも初期画像の中にキャプチャすることができる。プロセッサ１６は、透明実体領域１２２上に表示された画像ピクセルをリアルタイムで取得し、初期画像を処理して、表示画面１２６の透明領域１２６２上に配置された構成要素の画像と、透明実体領域１２２上に表示された画像とを除去して、ターゲット画像を取得してもよい。
【００２０】
本開示のこの実施形態における電子機器１０では、表示画面アセンブリ１２の表示画面１２６を製造するときに、透明領域１２６２の小領域をカメラ１４の対応する位置に確保して、透明実体領域１２２の一部を形成してもよい。透明領域の真上に配置されたカバー１２８は透明なので、光は透明実体領域１２２を通ってカメラ１４のレンズ１４２に入ることができる。このようにして、カメラ１４は、表示画面アセンブリ１２を貫通する穴を開けずに、電子機器１０の外部の外光を受け取ることができる。カメラ１４が画像を取得しているときに、表示画面アセンブリ１２は依然として正常に表示することができるので、透明実体領域１２２は表示用の構成要素を含んでいてもよい。カメラ１４によって取得された初期画像は、表示用の構成要素の画像ピクセルと、透明実体領域１２２上に表示された画像ピクセルとを含んでいてもよい。プロセッサ１６は、表示用の構成要素の画像ピクセルと透明実体領域１２２上に表示された画像ピクセルとを除去して、電子機器１０の外部の第１のシーンを含み第２のシーンを含まないターゲット画像を得てもよい。
【００２１】
本開示のこの実施形態における電子機器１０では、カメラ１４は、表示画面アセンブリ１２上の透明実体領域１２２を通して電子機器の外部の画像を取得してもよい。表示面の周囲に狭い境界を実現し、電子機器１０のスクリーン対本体比を拡大させ、ユーザ体験を向上させるように、光学装置を取り付けるために電子機器１０の表示面の上側および下側に確保されていた、十分に広くなければならなかった帯が存在しない。
【００２２】
更に、本開示のこの実施形態における電子機器１０では、透明実体領域１２２を表示画面アセンブリ１２上に確保して、表示画面アセンブリ１２を貫通する穴を開けることを回避することができる。電子機器１０の見かけ上の美的感覚が向上する。
【００２３】
更に、光がカメラの中に入る際に通過する穴を表示画面アセンブリ１２に設ける方法と比較して、本実施形態において表示画面１２６を設計する場合は、表示画面アセンブリ１２の表示機能に影響を与えずに、透明領域１２６２の小領域が表示画面１２６の表示領域内に設計される。表示画面アセンブリ１２の透明実体領域１２２は通常通りに表示し、依然として画像ピクセルを含むことができ、プロセッサ１６は初期画像を処理して、電子機器の外部の第１のシーンを含み第２のシーンを含まないターゲット画像を得ることができる。すなわち、本開示のこの実施形態において提供される電子機器は、ユーザが電子機器１０を通常通りに使用しながら、画面対本体の比率を拡大させ、ユーザ体験を向上させることができる。
【００２４】
図３を参照して、この実施形態では、メモリ１８は、透明実体領域１２２の複数の画像ピクセル上にデータ情報が表示されていないときに、透明実体領域１２２用にキャプチャされた事前格納画像を格納するように構成されていてもよい。第２のシーンは事前格納画像に対応してもよい。プロセッサ１６は、初期画像および事前格納画像に基づき、初期画像から第２のシーンを除去して、第１のシーンを含み第２のシーンを含まないターゲット画像を得るように構成されていてもよい。
【００２５】
このようにして、ユーザはスクリーンがオフのときに画像を撮影することができる。例えば、電子機器１０が携帯電話の場合、撮影用のショートカットボタンを設けてもよく、それにより、画面が消えているときに、ユーザはショートカットキーを押して画像を撮影し、撮影プロセス中にユーザは画面を消して、携帯電話が比較的低いバッテリ状態の場合に電力消費を減らすことができる。
【００２６】
図４を参照して、本実施形態では、電子機器１０は制御部１９を更に含んでいてもよい。制御部１９は、カメラ１４が初期画像をキャプチャしているときに、透明実体領域１２２の複数の画像ピクセルに表示される色を制御して、透明実体１２２領域をフィルタとして機能させるように構成されていてもよい。一例では、ユーザが特定の撮影効果を得ることを望んだ場合、表示画面アセンブリ１２上に表示される色を制御部１９によって制御して、透明実体領域１２２を擬似的フィルタ（ｓｉｍｕｌａｔｉｎｇ  ｆｉｌｔｅｒ）として機能させてもよい。このようにして、初期画像の色を調整して、理想的な効果を有するターゲット画像を得て、画像の後処理を減らし、ユーザ体験を向上させることができる。具体的には、電子機器１０が携帯電話の場合、制御部１９は携帯電話の中央処理装置（ＣＰＵ：Ｃｅｎｔｒａｌ  Ｐｒｏｃｅｓｓｉｎｇ  Ｕｎｉｔ）であってもよい。カメラ１４が初期画像をキャプチャしているときに、透明実体領域１２２の複数の画像ピクセルに表示される色を制御することが実現されるようにアルゴリズムを設計することができる。
【００２７】
加えて、制御部１９は更に、カメラ１４が初期画像を取得しているときに、透明実体領域１２２を制御して白色光を放出させて、透明実体領域１２２をフラッシュライトとして機能させるように構成されていてもよい。一例では、ユーザが暗い環境で画像を撮る必要がある場合に、透明実体領域１２２を制御部１９によって制御して白色光を表示させ、それにより表示画面アセンブリ１２をフラッシュライトとして機能させ、またはフラッシュライトをシミュレートさせて、初期画像をキャプチャするときに明るさを向上させてもよい。このようにして、理想的な効果を有するターゲット画像をキャプチャし、画像の後処理を減らし、ユーザ体験を向上させることができる。更に、フラッシュライトを省略することができ、それにより、電子機器１０の製造コストを減らすことができ、取り付けスペースを減らすことができ、電子機器１０の体積を減らすことができ、電子機器１０の重量を減らすことができ、ユーザ体験を向上させることができる。
【００２８】
図５を参照すると、上述の電子機器１０が画像を取得するために使用される画像取得方法が提供される。電子機器１０は表示画面アセンブリ１２を含んでいてもよい。表示画面アセンブリ１２は透明実体領域１２２を含んでいてもよい。透明実体領域１２２は、データ情報を表示するように構成された複数の画像ピクセルを含んでいてもよい。最初に、電子機器１０の外部の第１のシーンと電子機器１０の内部の第２のシーンとを含む初期画像を取得することができる（Ｓ１２）。次に、初期画像を処理して、電子機器の外部の第１のシーンを含み第２のシーンを含まないターゲット画像を得ることができる（Ｓ１４）。
【００２９】
具体的には、上記実施形態における電子機器１０のカメラ１４を用いて、電子機器１０の外部の第１のシーンと電子機器１０の内部の第２のシーンとを含む初期画像を取得することができる。上述の実施形態における電子機器１０のプロセッサ１６を使用して初期画像を処理して、電子機器の外部の第１のシーンを含み第２のシーンを含まないターゲット画像を得ることができる。
【００３０】
このようにして、カメラ１４は、表示画面アセンブリ１２上の透明実体領域１２２を通して電子機器の外部の画像を取得することができる。表示面の周囲に狭い境界を実現し、電子機器１０のスクリーン対本体比を拡大させ、ユーザ体験を向上させるように、光学装置を取り付けるために電子機器１０の表示面の上側および下側に確保されていた、十分に広くなければならなかった帯が存在しない。
【００３１】
更に、プロセッサ１６は、初期画像を処理して、電子機器１０の外部の第１のシーンを含み第２のシーンを含まないターゲット画像を得ることができる。すなわち、本開示のこの実施形態において提供される画像取得方法は、ユーザが電子機器１０を通常通りに使用しながら、画面対本体の比率を拡大させ、ユーザ体験を向上させることができる。
【００３２】
図６を参照すると、この実施形態では、電子機器１０はメモリ１８を更に含んでいてもよい。メモリ１８は、透明実体領域１２２の複数の画像ピクセル上にデータ情報が表示されていないときに、透明実体領域１２２用にキャプチャされた事前格納画像を格納するように構成されていてもよい。
【００３３】
この実施形態では、透明実体領域の複数の画像ピクセルがデータ情報を表示しているときに、透明実体領域１２２上に表示された画像をリアルタイムで取得することができる（Ｓ１４２）。第２のシーンは、表示された画像に対応する第１のサブシーンと、事前格納画像に対応する第２のサブシーンとを含む。初期画像、表示された画像、および事前格納画像に基づき、第１のサブシーンおよび第２のサブシーンを初期画像から除去して、第１のシーンを含み第２のシーンを含まないターゲット画像を得ることができる（Ｓ１４４）。
【００３４】
表示画面アセンブリ１２は、画像ピクセルを表示するように構成された表示画面１２６を含んでいてもよい。透明領域は表示画面１２６上に配置されて、透明実体領域１２２の一部を形成する。表示画面１２６の透明領域１２６２は依然として画像を表示することができるので、透明領域１２６２は表示用の構成要素を含んでいてもよいことが理解されよう。メモリ１８は、透明領域１２６２上に配置された構成要素の画像を事前格納画像として予め格納してもよい。表示画面１２６の通常の使用中にユーザがカメラで画像をキャプチャすると、表示画面１２６に表示された画像ピクセルも初期画像の中にキャプチャすることができる。プロセッサ１６は、透明実体領域１２２上に表示された画像ピクセルをリアルタイムで取得し、初期画像を処理して、表示画面１２６の透明領域１２６２上に配置された構成要素の画像と、透明実体領域１２２上に表示された画像とを除去して、ターゲット画像を取得してもよい。
【００３５】
図７を参照して、この実施形態では、電子機器１０はまた、透明実体領域１２２の複数の画像ピクセル上にデータ情報が表示されていないときに、透明実体領域１２２用にキャプチャされた事前格納画像を格納するように構成されたメモリ１８を含んでいてもよい。
【００３６】
本実施形態では、透明実体領域１２２の複数の画像ピクセル上にデータ情報が表示されていないときに、透明実体領域１２２用にキャプチャされた事前格納画像をリアルタイムで取得してもよい（Ｓ１４６）。第２のシーンは事前格納画像に対応する。初期画像および事前格納画像に基づき、初期画像から第２のシーンを除去して、第１のシーンを含み第２のシーンを含まないターゲット画像を得ることができる（Ｓ１４８）。
【００３７】
このようにして、ユーザはスクリーンがオフのときに画像を撮影することができる。例えば、電子機器１０が携帯電話の場合、撮影用のショートカットボタンを設けてもよく、それにより、画面が消えているときに、ユーザはショートカットキーを押して画像を撮影し、撮影プロセス中にユーザは画面を消して、携帯電話が比較的低いバッテリ状態の場合に電力消費を減らすことができる。
【００３８】
図８を参照して、本実施形態では、電子機器１０は制御部１９を更に含んでいてもよい。初期画像を取得する前に、透明実体領域１２２の複数の画像ピクセルの色を制御して、透明実体領域１２２をフィルタとして機能させてもよい（Ｓ１１２）。
【００３９】
ユーザが特定の撮影効果を得ることを望んだ場合、表示画面アセンブリ１２上に表示される色を制御部１９によって制御して、透明実体領域１２２を擬似的フィルタとして機能させてもよい。このようにして、初期画像の色を調整して、理想的な効果を有するターゲット画像を得て、画像の後処理を減らし、ユーザ体験を向上させることができる。
【００４０】
図９を参照すると、この実施形態では、初期画像を取得する前に、透明実体領域１２２を制御して、白色光を放出させて、透明実体領域１２２をフラッシュライトとして機能させることができる（Ｓ１１４）。
【００４１】
ユーザが暗い環境で画像を撮る必要がある場合に、透明実体領域１２２を制御部１９によって制御して白色光を表示させ、それにより表示画面アセンブリ１２をフラッシュライトとして機能させ、またはフラッシュライトをシミュレートさせて、初期画像をキャプチャするときに明るさを向上させてもよい。このようにして、理想的な効果を有するターゲット画像をキャプチャし、画像の後処理を減らし、ユーザ体験を向上させることができる。更に、フラッシュライトを省略することができ、それにより、電子機器１０の製造コストを減らすことができ、取り付けスペースを減らすことができ、電子機器１０の体積を減らすことができ、電子機器１０の重量を減らすことができ、ユーザ体験を向上させることができる。
【００４２】
本明細書の記載では、「ある実施形態」、「一実施形態」、「いくつかの実施形態」、「例示的実施形態」、「一実施例」、「特定の実施例」、または「いくつかの実施例」などの参照用語の記載は、特定の特徴、構成、材料、または実施形態または実施例と組み合わせて説明した特徴が、本開示の少なくとも１つの実施形態または実施例に含まれることを意味する。本明細書において、上述の用語を表す表現は、同じ実施形態または実施例を示すものではない。また、上記の特徴、構成、材料または特徴を、任意の１つまたは複数の実施形態または例において適切な方法で組み合わせることができる。
【００４３】
加えて、「第１」および「第２」などの用語は、本明細書では説明の目的で使用されており、相対的な重要性もしくは有意性を示すこともしくは暗示すること、または言及される技術的特徴の量を暗示的に示すことを意図しない。従って、「第１」および「第２」で定義されたフィーチャは少なくとも１つのフィーチャを含むことができる。本開示の説明において、「複数」という用語は、特に明記しない限り、少なくとも２つ、例えば２つまたは３つを意味する。
【００４４】
本開示の様々な実施形態を上記に示し説明してきたが、上記の実施形態は例示であり、本開示に対する限定と見なされるべきではないことが当業者によって理解されるであろう。本開示が関係する技術分野の当業者には、その範囲から逸脱することなく変形および改善が明らかになるであろうことに留意すべきである。従って、本開示の範囲は、添付の特許請求の範囲およびそれらの等価物によって定義される。
【００４５】
条項
条項１．電子機器であって、
ハウジングと、
ハウジング上に配置された表示画面アセンブリであって、表示画面アセンブリおよびハウジングは協働して収容チャンバを形成し、表示画面アセンブリは透明実体領域を含み、透明実体領域はデータ情報を表示するように構成された複数の画像ピクセルを含む、表示画面アセンブリと、
収容チャンバ内に配置されたカメラであって、カメラは透明実体領域に対応し、透明実体領域を通過する光を受光して電子機器の外部の第１のシーンおよび電子機器の内部の第２のシーンを含む初期画像を出力するように構成されている、カメラと
初期画像を処理して、電子機器の外部の第１のシーンのみを含むターゲット画像を得るように構成されたプロセッサと
を備える電子機器。
【００４６】
条項２．プロセッサは、透明実体領域の複数の画像ピクセルがデータ情報を表示しているときに、透明実体領域上に表示された画像をリアルタイムで取得するように構成されており、電子機器は、透明実体領域の複数の画像ピクセル上にデータ情報が表示されていないときに、透明実体領域用にキャプチャされた事前格納画像を格納するように構成されているメモリを更に含み、第２のシーンは、表示された画像に対応する第１のサブシーンと、事前格納画像に対応する第２のサブシーンとを含み、プロセッサは、初期画像、表示された画像、および事前格納画像に基づき、第１のサブシーンおよび第２のサブシーンを初期画像から除去して、第１のシーンのみを含むターゲット画像を得るように構成されている、請求項１に記載の電子機器。
【００４７】
条項３．透明実体領域の複数の画像ピクセル上にデータ情報が表示されていないときに、透明実体領域用にキャプチャされた事前格納画像を格納するように構成されているメモリを更に備え、第２のシーンは事前格納画像に対応し、プロセッサは、初期画像および事前格納画像に基づき、初期画像から第２のシーンを除去して、第１のシーンのみを含むターゲット画像を得るように構成されている、
請求項１に記載の電子機器。
【００４８】
条項４．カメラが初期画像を取得しているときに、透明実体領域の複数の画像ピクセルに表示される色を制御して、透明実体領域をフィルタとして機能させるように構成されている制御部
を更に備える、請求項３に記載の電子機器。
【００４９】
条項５．カメラが初期画像を取得しているときに、透明実体領域を制御して白色光を放出させて、透明実体領域をフラッシュライトとして機能させるように構成されている制御部
を更に備える、請求項３に記載の電子機器。
【００５０】
条項６．表示画面アセンブリに垂直な方向への透明実体領域の中心点の投影が、表示画面アセンブリに垂直な方向へのカメラの中心点の投影と重なっている、請求項１に記載の電子機器。
【００５１】
条項７．表示画面アセンブリに垂直な方向への透明実体領域の投影が、表示画面アセンブリに垂直な方向へのカメラの投影を覆っている、請求項１に記載の電子機器。
【００５２】
条項８．表示画面アセンブリは表示画面を含み、表示画面はＯＬＥＤ表示画面、フレキシブルＯＬＥＤ表示画面、およびＡＭＯＬＥＤ表示画面のうちのいずれか１つである、請求項１に記載の電子機器。
【００５３】
条項９．表示画面アセンブリは表示画面上に配置されたカバーを更に含み、カバーはタッチスクリーンカバーである、請求項１に記載の電子機器。
【００５４】
条項１０．電子機器が画像を取得するための画像取得方法であって、電子機器は表示画面アセンブリを含み、表示画面アセンブリは透明実体領域を含み、透明実体領域はデータ情報を表示するように構成された複数の画像ピクセルを含み、画像取得方法は、
電子機器の外部の第１のシーンおよび電子機器の内部の第２のシーンを含む初期画像を出力することと、
初期画像を処理して、電子機器の外部の第１のシーンのみを含むターゲット画像を取得することと
を含む、画像取得方法。
【００５５】
条項１１．電子機器は、透明実体領域の複数の画像ピクセル上にデータ情報が表示されていないときに、透明実体領域用にキャプチャされた事前格納画像を格納するように構成されているメモリを更に含み、初期画像を処理して、電子機器の外部の第１のシーンのみを含むターゲット画像を得ることが、
透明実体領域の複数の画像ピクセルがデータ情報を表示しているときに、透明実体領域上に表示された画像をリアルタイムで取得することであって、第２のシーンは、表示された画像に対応する第１のサブシーンと、事前格納画像に対応する第２のサブシーンとを含む、ことと、
初期画像、表示された画像、および事前格納画像に基づき、第１のサブシーンおよび第２のサブシーンを初期画像から除去して、第１のシーンのみを含むターゲット画像を得ることと
を含む、請求項１０に記載の画像取得方法。
【００５６】
条項１２．電子機器は、透明実体領域の複数の画像ピクセル上にデータ情報が表示されていないときに、透明実体領域用にキャプチャされた事前格納画像を格納するように構成されているメモリを更に含み、初期画像を処理して、電子機器の外部の第１のシーンのみを含むターゲット画像を得ることが、
透明実体領域の複数の画像ピクセル上にデータ情報が表示されていないときに、透明実体領域上に表示された画像をリアルタイムで取得することであって、第２のシーンは事前格納画像に対応する、ことと、
初期画像および事前格納画像に基づき、初期画像から第２のシーンを除去して、第１のシーンのみを含むターゲット画像を取得することと
を含む、請求項１０に記載の画像取得方法。
【００５７】
条項１３．電子機器の外部の第１のシーンおよび電子機器の内部の第２のシーンを含む初期画像を出力する前に、
透明実体領域の複数の画像ピクセルに表示される色を制御して、透明実体領域をフィルタとして機能させることを更に含む、請求項１２に記載の画像取得方法。
【００５８】
条項１４．電子機器の外部の第１のシーンおよび電子機器の内部の第２のシーンを含む初期画像を出力する前に、
透明実体領域を制御して白色光を放出させて、透明実体領域をフラッシュライトとして機能させることを更に含むことを特徴とする、請求項１２に記載の画像取得方法。
【図１】
0006921965.tif 000002
【図２】
0006921965.tif 000003
【図３】
0006921965.tif 000004
【図４】
0006921965.tif 000005
【図５】
0006921965.tif 000006
【図６】
0006921965.tif 000007
【図７】
0006921965.tif 000008
【図８】
0006921965.tif 000009
【図９】
0006921965.tif 000010